(57)【要約】      （修正有）【課題】移動体上部で流体の流れを整流し、移動体の安定性を向上できる移動体側部構造を提供する。【解決手段】移動体側部構造であって、移動体の側部に設けられ、移動体の側部の流体の流れを整流する整流フィン１Ａを備え、整流フィン１Ａは、移動体前後方向の長さが移動体上下方向の長さよりも長く設定され、移動体前後方向における前端部に形成され、移動体幅方向の幅が移動体前後方向における後方側に向かって広くなる第１の傾斜部１Ａｅと、第１の傾斜部１Ａｅよりも移動体前後方向の後方側に形成され、移動体幅方向の幅が移動体前後方向における後方側に向かって狭くなる第２の傾斜部１Ａｆとを有することを特徴とし、移動体前後方向における前端部と後端部とを結ぶ稜線１Ａｂを有するとともに後端部に移動体幅方向の幅を不連続に狭くする変曲部１Ａｃが設定されると好適である。【選択図】図１
2015083459.tif 000002
【特許請求の範囲】
【請求項１】
車両の側部に設けられ、前記車両の側部の流体の流れを整流する整流フィンを備え、
前記整流フィンは、
車両前後方向の長さが、車両上下方向の長さよりも長く設定され、
車両前後方向における前端部に形成され、車両幅方向の幅が車両前後方向における後方側に向かって広くなる第１の傾斜部と、
前記第１の傾斜部よりも車両前後方向の後方側に形成され、車両幅方向の幅が車両前後方向における後方側に向かって狭くなる第２の傾斜部と、
車両上下方向の幅が車両前後方向における後方側に向かって狭くなる第３の傾斜部と、
車両前後方向における前記前端部と後端部とを結ぶ稜線と、を有し、
前記後端部には、車両平面視で車両側面に対して切り立った形状となる変曲部が設定されることを特徴とする車両側部構造。
【請求項２】
前記整流フィンは、リアコンビランプに設けられることを特徴とする請求項１に記載の車両側部構造。
【請求項３】
前記整流フィンは、車両上下方向及び車両幅方向における最大幅位置が車両前方側に設定されることを特徴とする請求項１又は請求項２に記載の車両側部構造。
【請求項４】
前記整流フィンは、車両側面視で、車両前後方向における前端から車両上下方向における最大幅位置までの長さと、車両前後方向の長さとの比が３０〜５０％であることを特徴とする請求項１〜請求項３のいずれか１項に記載の車両側部構造。
【請求項５】
前記整流フィンは、車両側面視で、車両上下方向の最大幅と、車両前後方向の長さとの比が８〜１７％であることを特徴とする請求項１〜請求項４のいずれか１項に記載の車両側部構造。
【請求項６】
前記整流フィンは、車両平面視で、車両幅方向の最大幅と、車両前後方向の長さとの比が５〜１５％であることを特徴とする請求項１〜請求項５のいずれか１項に記載の車両側部構造。
【請求項７】
前記稜線は、半径が０〜４．０ｍｍであることを特徴とする請求項１〜請求項６のいずれか１項に記載の車両側部構造。
【発明の詳細な説明】
【技術分野】
【０００１】
本発明は、車両側部構造に関する。
【背景技術】
【０００２】
一般に、車両走行中の車体周りの空気流は、車体構造によって、剥離したり（車体から離れたり）、乱れたりすることがある。空気流の主流（一番強く速い流れ）が車体から離れると（境界層が厚くなると）、車両に対する空気力（空気拘束力）が減少する。空気力が弱いスペースが大きくなると、車両が不安定になる。特許文献１には、車体下部に整流フィンを設け、この整流フィンによって車両下部の流体の流れを整流し、増速することにより、車両の安定性を向上させることが記載されている。また、特許文献５には、車両のルーフの後端部に凸状のバンプを設けることにより、車体の空気抵抗を低減させることが記載されている。
【先行技術文献】
【特許文献】
【０００３】
【特許文献１】特開２００９−９０６８１号公報
【特許文献２】特開２００４−２１０１３８号公報
【特許文献３】特開２００３−１１２５７３号公報
【特許文献４】特開２００２−２９３１８８号公報
【特許文献５】特開２００４−３４５５６２号公報
【発明の概要】
【発明が解決しようとする課題】
【０００４】
しかし、車種によって車体構造が様々であり、上記のように車体下部に整流フィンを設けることができない場合がある。また、車体上部側で整流して安定性を向上させる必要があるが、上記の特許文献１のように車体下部に整流フィンを設ける構造は車体下部構造に最適な形状であり、車体上部に設けることができない。また、上記の特許文献５ではルーフに凸状のバンプを設けているので、走行中に横風を受けた場合等には、そのバンプに横風が当たることにより、車両の安定性（特に、操舵性能）を低下させてしまうことが懸念される。
【０００５】
そこで、本発明は、車両上部で流体の流れを整流し、車両の安定性を向上できる車両側部構造を提供することを課題とする。
【課題を解決するための手段】
【０００６】
本発明に係る移動体側部構造は、移動体の側部に設けられ、移動体の側部の流体の流れを整流する整流フィンを備え、整流フィンは、移動体前後方向の長さが、移動体上下方向の長さよりも長く設定され、移動体前後方向における前端部に形成され、移動体幅方向の幅が移動体前後方向における後方側に向かって広くなる第１の傾斜部と、第１の傾斜部よりも移動体前後方向の後方側に形成され、移動体幅方向の幅が移動体前後方向における後方側に向かって狭くなる第２の傾斜部とを有することを特徴とする。
【０００７】
移動体側部構造は、移動体の側部に設けられる整流フィンを備えている。整流フィンは、移動体の側部に設けられている状態で移動体前後方向の長さが移動体上下方向の長さよりも長く設定され、移動体前後方向が長手となっている。また、整流フィンは、第１の傾斜部と第２の傾斜部を有している。第１の傾斜部は、移動体前後方向における前端部に形成され、移動体幅方向の幅が後方側に向かって広くなり、前端側から第２の傾斜部側に高くなる傾斜部である。第２の傾斜部は、第１の傾斜部よりも移動体前後方向の後方側に形成され、移動体幅方向の幅が後方側に向かって狭くなり、第１の傾斜部側から後端側が低くなる傾斜部である。第１の傾斜部と第２の傾斜部は直線でも曲線でもよく、第１の傾斜部と第２の傾斜部とは連続に形成されてもよいしあるいは連続でなく、前後方向と平行な部分を挟んでもよい。このような形状の整流フィンが移動体の側部に設けられると、その整流フィン周辺の流体の流れを整流でき、整流フィン近傍や後方の流速を増速できる。その結果、移動体近傍の主流（流体の最速流れ）が移動体に近づき、移動時の移動体安定性が向上するとともに空気抵抗が低減する。このように、移動体側部構造は、移動体の側部に上記の形状の整流フィンを設けることにより、整流フィンの作用によって移動体上部で流体の流れを整流でき、移動体の安定性を向上できる。また、移動体側部構造は、整流フィンを移動体の側部に設けることにより、横風による影響を受けることなく、整流効果を発揮でき、移動体の安定性を向上できる。なお、移動体上部は、移動体床部よりも上側であり、移動体側部を含んでいる。前端部は、移動体の最先端部位だけではなく、前端側の部位を含む。
【０００８】
本発明の上記移動体側部構造では、整流フィンは、移動体前後方向における前端部と後端部とを結ぶ稜線を有すると好適である。この移動体側部構造では、整流フィンを前端部から後端部にかけて稜線を有する形状とすることにより、整流フィンによる整流効果や増速効果をより向上させることができる。特に、本発明の上記移動体側部構造では、稜線は半径が０〜４．０ｍｍであると好適である。
【０００９】
本発明の上記移動体側部構造では、整流フィンは、移動体上下方向の幅が移動体前後方向における後方側に向かって狭くなる第３の傾斜部を有すると好適である。この移動体側部構造は、移動体上下方向の幅が後方側に向かって狭くなる第３の傾斜部を有することにより、整流フィンによる整流効果や増速効果をより向上させることができる。
【００１０】
本発明の上記移動体側部構造では、整流フィンの後端部には、移動体平面視で移動体側面に対して切り立った形状となる変曲部が設定されると好適である。この移動体側部構造では、整流フィンの後端部に変曲部を有することにより、整流フィンによる整流効果や増速効果をより向上させることができる。整流フィンの後端が移動体側面から９０°から４５°の範囲内の角度となるように変曲部が形成されると効果があり、後端が移動体側面から９０°の角度となる変曲部が最も効果が高い。
【００１１】
本発明の上記移動体側部構造では、移動体は、車両であり、整流フィンは、サイドミラーと車体との間の車体の側部の部位に設けられると好適である。この移動体側部構造では、整流フィンを車両のサイドミラーと車体との間の車体側部部位に設けることにより、整流フィンによる効果をより引き出すことができ、Ａピラー周りの流体の流れを整流し、流体の流速を増速できるので、ステアリング性能（特に、微操舵応答）等を向上させることができる。
【００１２】
本発明の上記移動体側部構造では、移動体は、車両であり、整流フィンは、リアコンビランプに設けられると好適である。この移動体側部構造では、整流フィンを車両のリアコンビランプに設けることにより、整流フィンによる効果をより引き出すことができ、車体後端部（車体周り気流放出部）の気流収束を促進でき、流体の流速を増速できるので、リアのスタビリティ等を向上させることができる。
【００１３】
本発明の上記移動体側部構造では、整流フィンは、移動体上下方向及び移動体幅方向における最大幅位置が移動体前方側に設定されると好適である。この移動体側部構造では、整流フィンを最大幅位置が移動体前方側（中央より前側）に位置する形状とすることにより、整流フィンによる整流効果や増速効果をより向上させることができる。
【００１４】
本発明の上記移動体側部構造では、整流フィンは、移動体側面視で、移動体前後方向における前端から移動体上下方向における最大幅位置までの長さと、移動体前後方向の長さとの比が３０〜５０％であると好適である。この移動体側部構造では、整流フィンを前端から最大幅位置までの長さと移動体前後方向の長さとの比が３０〜５０％となる形状とすることにより、整流フィンによる整流効果や増速効果をより向上させることができる。
【００１５】
本発明の上記移動体側部構造では、整流フィンは、移動体側面視で、移動体上下方向の最大幅と、移動体前後方向の長さとの比が８〜１７％であると好適である。この移動体側部構造では、整流フィンを移動体上下方向の最大幅と移動体前後方向の長さとの比が８〜１７％となる形状とすることにより、整流フィンによる整流効果や増速効果をより向上させることができる。
【００１６】
本発明の上記移動体側部構造では、整流フィンは、移動体平面視で、移動体幅方向の最大幅と、移動体前後方向の長さとの比が５〜１５％であると好適である。この移動体側部構造では、整流フィンを移動体幅方向の最大幅と移動体前後方向の長さとの比が５〜１５％となる形状とすることにより、整流フィンによる整流効果や増速効果をより向上させることができる。
【発明の効果】
【００１７】
本発明によれば、車両の側部に整流フィンを設けることにより、整流フィンの作用によって車両上部で流体の流れを整流でき、車両の安定性を向上できる。
【図面の簡単な説明】
【００１８】
【図１】本実施の形態に係る整流フィンの一例であり、（ａ）が車両側面視であり、（ｂ）が車両平面視である。
【図２】本実施の形態に係る整流フィンの他の例であり、（ａ）が車両側面視であり、（ｂ）が車両平面視である。
【図３】本実施の形態に係る整流フィンの他の例であり、（ａ）が車両側面視であり、（ｂ）が車両平面視である。
【図４】本実施の形態に係る整流フィンの後端部の他の形状を示す車両平面視であり、（ａ）が図１の整流フィンの後端部を他の形状にした整流フィンであり、（ｂ）が図２の整流フィンの後端部を他の形状にした整流フィンであり、（ｃ）が図３の整流フィンの後端部を他の形状にした整流フィンである。
【図５】本実施の形態に係る整流フィンを車体側部に設けた車両側部構造の例であり、（ａ）がドアミラーベースに設けた場合であり、（ｂ）がリアコンビランプに設けた場合である。
【図６】流速変化実験の状態を示す図である。
【図７】実施例に用いる整流フィンの形状を示した図である。
【発明を実施するための形態】
【００１９】
以下、図面を参照して、本発明に係る移動体側部構造の実施の形態を説明する。なお、各図において同一又は相当する要素については同一の符号を付し、重複する説明を省略する。
【００２０】
本実施の形態では、本発明に係る移動体側部構造を、一般的な乗用車の車両側部構造に適用する。本実施の形態に係る車両側部構造は、車体の側部の各部位に流体（空気）の流れを整流する整流フィンが設けられる。車体側部は、車体床部よりも上側であり、車体上部である。
【００２１】
なお、本実施の形態では、整流フィンが車体側部に設けられた状態での車両前後方向、車両幅方向、車両上下方向における整流フィンの形状を説明する。図１〜図３中で示す「Ｆｒ」は車両前後方向の前側であり、「Ｕｐｐｅｒ」は車両上下方向の上側であり、「Ｏｕｔ」は車両幅方向の外側である。
【００２２】
図１〜図４を参照して、本実施の形態に係る整流フィン１について説明する。図１は、本実施の形態に係る整流フィンの一例である。図２は、本実施の形態に係る整流フィンの他の例である。図３は、本実施の形態に係る整流フィンの他の例である。図４は、本実施の形態に係る整流フィンの後端部の他の形状を示す車両平面視である。
【００２３】
整流フィン１は、車体の側部に設けられ、周辺の流体の流れを整流し、流体の流速を増速する。整流フィン１は、車両上下方向に翼厚を有する翼型フィンである（翼型でなくてもよい）。車両側面視の整流フィン１の形状は、左右対称であり、車体側部に設けられた場合に車両上下方向の幅が後方側に向かって狭くなる形状（第３の傾斜部）を有しており、この第３の傾斜部によって気流を収束させることで流速を速めることができる。特に、車両上下方向の最大幅位置が、車両前方側に設定されると好適である。また、整流フィン１は、車体側部に設けられた場合に車両前後方向の長さが車両上下方向の長さよりも長い形状である。また、整流フィン１は、車体側部に設けられた場合の車両上下方向の断面形状が三角形状又は釣鐘形状である。また、整流フィン１は、車両前後方向における前端部に形成され、車両幅方向の幅が車両前後方向における後方側に向かって広くなる形状（第１の傾斜部）を有しており、この第１の傾斜部によって気流を整流フィンに沿うように滑らかに導くことができる。また、整流フィン１は、第１の傾斜部よりも車両前後方向の後方側に形成され、車両幅方向の幅が車両前後方向における後方側に向かって狭くなる形状（第２の傾斜部）を有しており、この第２の傾斜部によって車体側に向かって整流できる。特に、車両幅方向の最大幅位置が、車両前方側に設定されると好適である。なお、第１の傾斜部及び第２の傾斜部は、直線でも形成されてもよいし、あるいは、曲線で形成されてもよい。また、第１の傾斜部と第２の傾斜部とは、連続に形成されてもよいし、あるいは、連続でなく、前後方向と平行な部分を挟んでもよい。
【００２４】
特に、整流フィン１は、車両平面視して車両前後方向における前端部と後端部とを結ぶ稜線（直線でも、曲線でもよい）を有している。この稜線は、少なくとも第２の傾斜部による後方に低くなる傾斜によって形成され、第１の傾斜部による前端から高くなる傾斜と第２の傾斜部による後方に低くなる傾斜によって形成される場合もある。また、整流フィン１は、車両平面視で車両幅方向の幅を不連続に狭くする変曲部を有する形状である。この変曲部によって後端部での稜線の直線又は曲線が変化することにより、整流フィン１の後端が車体側面に対して切り立った形状となる。この稜線形状と変曲部による後端形状が、整流フィン１の整流効果や増速効果を向上させるのに特に有効である。
【００２５】
整流フィン１の整流効果や増速効果に優れる好適な形状としては、以下の条件を満たしたものである。整流フィン１の最大翼厚比が８〜１７％の範囲内の条件である。最大翼厚比は、最大翼厚Ｗ（車両上下方向の最大幅）／翼弦長Ｌ０（車両前後方向の長さ）であり、値が小さくなるほど細長い形状となる。
【００２６】
また、整流フィン１の最大翼厚位置が３０〜５０％の範囲内の条件である。最大翼厚位置は、前端から最大翼厚Ｗの位置までの長さ（車両前後方向における前端から車両上下方向の最大幅位置までの長さ）Ｌ１／翼弦長Ｌ０であり、値が小さいほど最大翼厚が前端側に位置し、後端側がとがった形状となる。
【００２７】
また、整流フィン１の最大高さ比が５〜１５％の範囲内の条件である。最大高さ比は、最大高さＨ（車両幅方向の最大幅）／翼弦長Ｌ０であり、値が大きくなるほど高い形状となる（車体側部から外側に突出する形状となる）。
【００２８】
また、整流フィン１の稜線の山部の半径が０〜４．０ｍｍの範囲内の条件である。半径が０の場合、稜線の山部が三角形である。半径が大きくなるほど、稜線の山部のカーブが緩やかになる。
【００２９】
また、整流フィン１の車両上下方向の断面における三角形状又は釣鐘形状の山部の角度が６０〜９０°の範囲内の条件である。この角度が小さくなるほど、断面の三角形状又は釣鐘形状がとがった形状となる。
【００３０】
また、整流フィン１の変曲部による切り立った形状部分の車体側面に対する角度が４５〜９０°の範囲内の条件である。この角度が９０°に近いほどほど、車体側面に対して切り立った形状であり、整流効果が高い。
【００３１】
図１には、整流フィン１の一つの形状例として整流フィン１Ａを示している。整流フィン１Ａは、曲線で形成されたものである。整流フィン１Ａは、車両前後方向の中央部における幅が前端側及び後端側における幅よりも広い形状であり、車両側面視での形状が曲線の翼型形状１Ａａを有する（図１（ａ）参照）。この翼型形状１Ａａにより、車両上下方向の幅が後方側に向かって後端まで狭くなる第３の傾斜部１Ａｄを有する形状となっている。また、整流フィン１Ａは、車両前後方向の中央部における高さが前端側及び後端側における高さよりも高い形状であり、曲線の稜線１Ａｂを有している（図１（ｂ）参照）。この稜線１Ａｂは、車両幅方向の幅が前端から後方側に向かって広くなる第１の傾斜部１Ａｅとそれに連続して車両幅方向の幅が後方側に向かって後端まで狭くなる第２の傾斜部１Ａｆによって形成される。また、整流フィン１Ａは、車両上下方向の断面が釣鐘形状である。また、整流フィン１Ａは変曲部１Ａｃを有しており、この変曲部１Ａｃが曲線の稜線１Ａｂを切断する変曲点となっており、整流フィン１Ａが車体側部に設けられた場合には後端の車体側面に対する角度が９０°となる（図１（ｂ）参照）。
【００３２】
図２には、整流フィン１の他の形状例として整流フィン１Ｂを示している。整流フィン１Ｂは、直線で形成されたものである。整流フィン１Ｂは、車両前後方向の中央部における幅が前端側及び後端側における幅よりも広い形状であり、車両側面視での形状が直線の翼型形状１Ｂａを有する（図２（ａ）参照）。この翼型形状１Ｂａにより、車両上下方向の幅が後方側に向かって後端まで狭くなる第３の傾斜部１Ｂｄを有する形状となっている。また、整流フィン１Ｂは、車両前後方向の中央部における高さが前端側及び後端側における高さよりも高い形状であり、直線の稜線１Ｂｂを有している（図２（ｂ）参照）。この稜線１Ｂｂは、車両幅方向の幅が前端から後方側に向かって広くなる第１の傾斜部１Ｂｅとそれに連続して車両幅方向の幅が後方側に向かって後端まで狭くなる第２の傾斜部１Ｂｆによって形成される。また、整流フィン１Ｂは、車両上下方向の断面が三角形状である。また、整流フィン１Ｂは、整流フィン１Ａと同様の変曲部１Ｂｃを有している。
【００３３】
図３には、整流フィン１の他の形状例として整流フィン１Ｃを示している。整流フィン１Ｃは、直線で形成されたものである。整流フィン１Ｃは、幅が前端から後端にかけて徐々に狭くなる形状であり、車両側面視での形状が台形状１Ｃａを有する（図３（ａ）参照）。この台形状１Ｃａにより、車両上下方向の幅が前端から後方側に向かって後端まで狭くなる第３の傾斜部１Ｃｄを有する形状となっている。したがって、最大翼厚Ｗの位置は、前端である。また、整流フィン１Ｃは、車両前後方向の中央部における高さが前端側及び後端側における高さよりも高い形状であり、直線の稜線１Ｃｂを有している（図３（ｂ）参照）。この稜線１Ｃｂは、車両幅方向の幅が後方側に向かって後端まで狭くなる第２の傾斜部１Ｃｆによってのみ形成される。第２の傾斜部１Ｃｆの前側には、車両幅方向の幅が前端から後方側に向かって広くなる第１の傾斜部１Ｃｅがある。また、整流フィン１Ｃは、車両上下方向の断面が三角形状である。また、整流フィン１Ｃは、整流フィン１Ａと同様の変曲部１Ｃｃを有している。
【００３４】
図４には、図１〜図３の整流フィン１Ａ，１Ｂ，１Ｃに対して後端部の形状が異なる整流フィン１Ａ’，１Ｂ’，１Ｃ’を示している。整流フィン１Ａ’，１Ｂ’，１Ｃ’の各変曲部１Ａ’ｃ，１Ｂ’ｃ，１Ｃ’ｃは、上記の整流フィン１Ａ，１Ｂ，１Ｃの各変曲部１Ａｃ，１Ｂｃ，１Ｃｃのように稜線を切断するような変曲点でなく、稜線１Ａ’ｂ，１Ｂ’ｂ，１Ｃ’ｂの角度を変えるような変曲点である。したがって、整流フィン１Ａ’，１Ｂ’，１Ｃ’が車体側部に設けられた場合には後端の車体側面に対する角度が９０°よりも小さい所定の角度となる。この所定の角度は、４５°以上になるように設定される。
【００３５】
上記のような形状を有する整流フィン１が前方から所定の流速の流体を受けると、整流フィン１の後端より後方に整った縦渦が発生し、後方における流速が受けた流速より速くなる。また、整流フィン１に流体の流れを引き寄せ、整流フィン１の直近の位置での流速が受けた流速より速くなる。このような効果は、整流フィン１が無い場合と有る場合で前方から一定の流速の空気を送風した単体流速試験で実証されており（後述する実施例を参照）、整流フィン１が無い場合にはその一定の流速が均等に分布するが、整流フィン１が有る場合には整流フィン１の後方で流速が増速するとともに整流フィン１の直近の位置で流速が増速する結果が得られた。
【００３６】
図５を参照して、本実施の形態に係る車両側部構造１０について説明する。図５は、本実施の形態に係る整流フィンを車体側部に設けた車両側部構造の例である。
【００３７】
車両側部構造１０は、上記で説明した整流フィン１を、整流フィン１の整流効果や増速効果を引き出せる部位（流れが安定的で、流速の速い部位）に設ける。整流フィン１を設ける場合、車体の各部位に一体成形してもよいし、あるいは、整流フィン１を別体で製造して車体の各部位に取り付けてもよい。また、整流フィン１を設ける場合、車体の側部の各部位の左右対称の位置にそれぞれ設け、設ける部位としては１箇所でも複数箇所でもよい。また、整流フィン１を設ける場合、車体の側部の同じ部位に１個だけ設けてもよいしあるいは、複数個設けてもよい。整流フィン１の効果を引き出せる部位としては、例えば、ドアミラーと車体側部との間に整流フィン１が配置される車体側部の部位（ドアミラーベース等）、車体後端周辺の部位（リアコンビランプ等）、フェンダサイドマーカシグナルがある。
【００３８】
図５（ａ）には、ドアミラーベース２に整流フィン１を１個設けた車両側部構造１０を示している。この場合、樹脂部品であるドアミラーベース２に整流フィン１を成形してもよいし、あるいは、ドアミラーベース２に別体の整流フィン１を取り付けてもよい。ドアミラーベース２に整流フィン１を設けた場合、整流フィン１によってＡピラー周りにおける流体を整流でき、流速を増速できる。その結果、ステアリング性能等を向上させることができる。なお、ドアミラーがドアに直接取り付けられ、ドアミラーベースがない場合、樹脂部品の三角パッチが有る場合には三角パッチに整流フィン１を成形してもよいし、三角パッチが無い場合にはウィンドウのガラス（三角形状部分等）に別体の整流フィン１を接着してもよい。
【００３９】
図５（ｂ）には、リアコンビランプ３に整流フィン１を２個設けた車両側部構造１０を示している。この場合、リアコンビランプ３のカバーに２個の整流フィン１を上下平行に成形してもよいし、あるいは、リアコンビランプ３に別体の２個の整流フィン１を上下平行に取り付けてもよい。リアコンビランプ３に整流フィン１を設けた場合、車両後端（車体周り気流放出部）における流体を整流して気流の収束を促進でき、流速を増速できる。その結果、リアスタビリティ性能等を向上させることができる。なお、リアコンビランプ３に整流フィン１を設ける場合、大きい整流フィン１を１個だけ設けてもよいし、小さい整流フィン１を３個設けてもよいし、リアコンビランプ３の形状に合わせて異なる大きさの整流フィン１を複数個設けてもよい。
【００４０】
この車両側部構造１０によれば、車両走行中に、整流フィン１の作用によって、整流フィン１の後端部から整った強い縦渦を発生させ、流体を整流できる（流体の流れがスムーズになる）。さらに、車体周りの流速を増速でき（特に、整流フィン１の後方や近傍を増速）、整流フィン１が無い構造に比べて主流（流体の最速の流れ）を車体に近づけることができる。これによって、車体周りに速い流れの空気の壁ができ、車体への圧力（空気力）が増加する。その結果、車両への様々な入力（路面入力、操舵による入力、走行中の定常風による入力、横風による入力等）がある場合でも、車両安定性（直進安定性、ヨー応答性、ステアリングの手応え、操舵の効き、スタビリティ（操縦安定性）、リアグリップ感、ロール感、フラット感等）が向上するとともに、空気抵抗も低減する。また、この車両側部構造１０によれば、整流フィン１を車体の側部に設けることにより、横風による影響を受けることなく、整流効果を発揮でき、車両安定性をより向上できる。
【００４１】
特に、整流フィン１が前端部と後端部とを結ぶ稜線を有することにより、整流フィン１による整流効果や増速効果が向上する。また、整流フィン１の後端部に変曲部を有し、車体側面に対して切り立った形状とすることにより、整流フィン１による整流効果や増速効果が向上する。さらに、整流フィン１の最大翼厚比を８〜１７％の範囲内、最大翼厚位置を３０〜５０％の範囲内、最大高さ比を５〜１５％の範囲内とすることにより、整流フィン１による整流効果や増速効果が向上する。
【００４２】
また、整流フィン１をサイドミラーと車体との間の部位（ドアミラーベース等）や車両後端部位（リアコンビランプ等）に設けることにより、整流フィン１による効果をより引き出すことができる。
【００４３】
以上、本発明に係る実施の形態について説明したが、本発明は上記実施の形態に限定されることなく様々な形態で実施される。
【００４４】
例えば、本実施の形態では移動体側部構造を一般的な乗用車に適用したが、様々な車種（例えば、スポーツカー、ミニバン、トラック、バス）に適用可能であり、あるいは、飛行機、二輪車、自転車等の他の移動体にも適用可能である。
【００４５】
また、本実施の形態では整流フィンを設ける車体側部の部位としてドアミラーと車体との間の側部部位、車両後端部、フェンダサイドマーカシグナルを例示したが、ドアやフェンダ等の他の車体側部の部位に設けてもよい。
【００４６】
また、本実施の形態では整流フィンを各部位に１個又は２個設ける構成としたが、整流フィンの個数については特に限定するものではなく、同じ部位に３個以上設けてもよい。複数個設ける場合、全て同じ大きさの整流フィンを設けてもよいし、設ける部位の形状等に応じて異なる大きさの整流フィンを設けてもよい。また、同じ部位に設ける整流フィンの数が多いほど、１個当たりの整流フィンの大きさを小さくしてもよい。また、複数の整流フィンを上下に平行に配置する場合、整流フィンの車両前後方向の長さ程度の間隔をあけて上下に整流フィンを配置することが好ましい。
【００４７】
また、本実施の形態では整流フィンの形状の６つの例を示したが、他の形状のものでもよく、例えば、左右対称ではなく左右非対称のものでもよいし、稜線を有する形状としたが稜線がない形状でもよいし、変曲部を有する形状としたが変曲部がない形状でもよい。
【００４８】
また、本実施の形態では整流フィンによる効果に優れる好適な形状として６つの条件範囲を示し、この６つの条件範囲を全て満たす形状の整流フィンが最も好ましいが、この６つの条件範囲のうちの幾つかの条件範囲を満たす整流フィンの形状としてもよい、あるいは、全ての条件範囲を満たさない場合でも整流フィンの基本的な形状を有しており、整流効果や増速効果が得られる形状であればよい。
【実施例】
【００４９】
次に、本発明の実施例について説明する。なお、本発明は、本実施例に限定されるものではない。
【００５０】
（流速変化実験）
整流フィンが有る場合の流速の変化と、整流フィンが無い場合の流速の変化と、を計測する流速変化実験を行った。以下に、図６及び図７を参照しながら流速変化実験の詳細について説明する。図６は、流速変化実験の状態を示す図である。図７は、実施例に用いる整流フィンの形状を示した図である。なお、図７において、（ａ）は、整流フィンの側面図、（ｂ）は、整流フィンの平面図である。
【００５１】
まず、図６に示すように、空気流の流速を測定する複数の計測点が設置された壁面を用意した。これらの計測点は、壁面の前端から１００ｍｍに配置される計測点Ｐ１と、壁面の前端から３２５ｍｍに配置される計測点Ｐ２と、壁面の前端から３７０ｍｍに配置される計測点Ｐ３と、壁面の前端から４５０ｍｍに配置される計測点Ｐ４と、壁面の前端から６００ｍｍに配置される計測点Ｐ５と、壁面の前端から７００ｍｍに配置される計測点Ｐ６と、壁面の前端から８００ｍｍに配置される計測点Ｐ７と、壁面の前端から８９０ｍｍに配置される計測点Ｐ８と、で構成した。
【００５２】
次に、図７に示す整流フィンを用意した。この整流フィンは、側面視での形状が曲線の翼型形状であり、翼弦長Ｌ０が１１０ｍｍとなっている。
【００５３】
次に、整流フィンの前端が計測点Ｐ１に配置されるように、整流フィンを壁面に取り付けた。このため、計測点Ｐ１は、整流フィンの前端に配置され、計測点Ｐ２〜Ｐ８は、整流フィンの後方に配置される。なお、整流フィンと各計測点Ｐ１〜Ｐ８とは、同一水平面状に配置した。
【００５４】
そして、この壁面に空気流を風速２２ｍ／ｓで送風し、各計測点おける空気流の流速を計測した。計測結果を表１の「有」の欄に示す。
【００５５】
次に、壁面から整流フィンを取り外し、この壁面に空気流を風速２２ｍ／ｓで送風し、各計測点おける空気流の流速を計測した。計測結果を表１の「無」の欄に示す。
【表１】
2015083459.tif 000003
【００５６】
表１から明らかなように、整流フィンが無い場合は、殆ど流速の変化がなく一定の流速が均等に分布するが、整流フィンが有る場合は、整流フィンの後方で流速が増速することが実証された。
【００５７】
（形状の違いによる効果の違いの検証）
次に、形状の違いによる効果の違いを検証するために、実施例１〜７及び比較例１の整流フィンを用意した。
【００５８】
実施例１の整流フィンは、側面視での形状が曲線の翼型形状に形成されている（下記の表２参照）。なお、表２における実施例１の形状の欄には、整流フィンの平面図を示している。この整流フィンは、第１の傾斜部、第２の傾斜部、第３の傾斜部、稜線および変曲部を有する。なお、この整流フィンの翼弦長Ｌ０は、５５ｍｍとなっている。
【００５９】
実施例２の整流フィンは、側面視での形状が直線の翼型形状に形成されている（下記の表２参照）。なお、表２における実施例２の形状の欄には、整流フィンの平面図を示している。この整流フィンは、第１の傾斜部、第２の傾斜部、第３の傾斜部、稜線および変曲部を有する。なお、この整流フィンの翼弦長Ｌ０は、１５０ｍｍとなっている。
【００６０】
実施例３の整流フィンは、側面視での形状が直線の翼型形状に形成されている（下記の表２参照）。なお、表２における実施例３の形状の欄には、整流フィンの平面図を示している。この整流フィンは、第１の傾斜部、第２の傾斜部、第３の傾斜部および稜線を有し、変曲部を有しない。なお、この整流フィンの翼弦長Ｌ０は、１５０ｍｍとなっている。
【００６１】
実施例４の整流フィンは、側面視での形状が曲線の翼型形状に形成されている（下記の表２参照）。なお、表２における実施例４の形状の欄には、整流フィンの側面図を示している。この整流フィンは、第１の傾斜部、第２の傾斜部および第３の傾斜部を有し、稜線および変曲部を有しない。
【００６２】
実施例５の整流フィンは、上下方向の断面が三角形状に形成されている（下記の表２参照）。なお、表２における実施例５の形状の欄には、整流フィンの断面図を示している。この整流フィンは、第１の傾斜部、第２の傾斜部、第３の傾斜部、稜線および変曲部を有する。なお、この整流フィンは、翼型形状を成しており、側面視における先端（前端）の頂角（以下「クレイ頂角」という）が１２０°となっている。また、この整流フィンの翼弦長Ｌ０は１５０ｍｍとなっている。
【００６３】
実施例６の整流フィンは、上下方向の断面が三角形状に形成されている（下記の表２参照）。なお、表２における実施例６の形状の欄には、整流フィンの断面図を示している。この整流フィンは、第１の傾斜部、第２の傾斜部、第３の傾斜部、稜線および変曲部を有する。なお、この整流フィンは、翼型形状を成しており、そのクレイ頂角が１２０°となっている。また、この整流フィンの翼弦長Ｌ０は１５０ｍｍとなっている。
【００６４】
実施例７の整流フィンは、上下方向の断面が三角形状に形成されている（下記の表２参照）。なお、表２における実施例７の形状の欄には、整流フィンの断面図を示している。この整流フィンは、第１の傾斜部、第２の傾斜部、第３の傾斜部、稜線および変曲部を有する。なお、この整流フィンは、翼型形状を成しており、そのクレイ頂角が１２０°となっている。また、この整流フィンの翼弦長Ｌ０は１５０ｍｍとなっている。
【００６５】
比較例１の整流フィンは、側面視での形状が曲線の翼型形状に形成されている（下記の表２参照）。なお、表２おける比較例１の形状の欄には、整流フィンの平面図を示している。この整流フィンは、第１の傾斜部、第３の傾斜部、稜線および変曲部を有し、第２の傾斜部を有しない。
【００６６】
次に、上述した流速変化実験と同様に、実施例１〜７及び比較例１の整流フィンを壁面に取り付け、壁面に空気流を風速２２ｍ／ｓで送風した。そして、各整流フィンの先端及び後端での空気流の流速を計測するとともに、前端での空気流の流速に対する後端での空気流の流速の増速率を算出した。計測結果を表２に示す。
【００６７】
更に、壁面に対する空気流の主流（一番強く速い流れ）の位置（壁面から空気流の主流までの距離）を境界層位置として計測した。計測結果を表２に示す。
【表２】
2015083459.tif 000004
【００６８】
ここで、表２の計測結果を参照して、第２の傾斜部を有する実施例１及び実施例２と第２の傾斜部を有しない比較例１とを比較する。すると、境界層位置は、比較例１が２２．０ｍｍであるのに対し、実施例１及び実施例２が２．２ｍｍ及び１０．０ｍｍとなっている。
【００６９】
この比較結果から、第２の傾斜部を有する実施例の整流フィンを用いることで、第２の傾斜部を有しない比較例の整流フィンを用いる場合に比べて、空気流の主流が移動体（壁面）に近づくことが実証された。
【００７０】
また、変曲部を有する実施例１及び実施例２と変曲部を有しない実施例３とを比較する。すると、増速率は、実施例３が１８％であるのに対し、実施例１及び実施例２が２３％及び２１％となっている。また、境界層位置は、実施例３が１６．０ｍｍであるのに対し、実施例１及び実施例２が２．２ｍｍ及び１０．０ｍｍとなっている。
【００７１】
この比較結果から、第１の傾斜部及び第２の傾斜部を備える整流フィンは、変曲部を有することで、変曲部を有しない場合と比べて、空気流が増速するとともに、空気流の主流が移動体（壁面）に近づくことが実証された。
【００７２】
また、稜線を有する実施例１及び実施例２と稜線を有しない実施例４とを比較する。すると、増速率は、実施例４が７％であるのに対し、実施例１及び２が２３％及び２１％となっている。
【００７３】
この比較結果から、第１の傾斜部及び第２の傾斜部を備える整流フィンは、稜線を有することで、稜線を有しない場合と比べて、空気流が増速することが実証された。
【００７４】
また、稜線の半径の異なる実施例５〜８を比較する。すると、増速率は、稜線の半径が０．１ｍｍ及び２．７５ｍｍの実施例５及び６が１８％、稜線の半径が５．０ｍｍの実施例７が１９％となっている。また、境界層位置は、稜線の半径が０．１ｍｍの実施例５が１５．０ｍｍ、稜線の半径が２．７５ｍｍの実施例６が１４．０ｍｍ、稜線の半径が５．０ｍｍの実施例７が１１．０ｍｍとなっている。
【００７５】
この比較結果から、第１の傾斜部、第２の傾斜部及び稜線を備える整流フィンは、稜線の半径を大きくした方が、稜線の半径が小さい場合と比べて、空気流が増速するとともに、空気流の主流が移動体（壁面）に近づくことが実証された。具体的には、稜線の半径を２．７５ｍｍ〜５．０ｍｍとすることで、稜線の半径が０．１ｍｍとした場合に比べて、空気流が増速するとともに、空気流の主流が移動体（壁面）に近づくことが実証された。
【産業上の利用可能性】
【００７６】
移動体の側部に設けられる移動体側部構造として利用可能である。
【符号の説明】
【００７７】
１，１Ａ，１Ａ’，１Ｂ，１Ｂ’，１Ｃ，１Ｃ’…整流フィン、１Ａａ，１Ｂａ…翼型形状、１Ｃａ…台形状、１Ａｂ，１Ｂｂ，１Ｃｂ，１Ａ’ｂ，１Ｂ’ｂ，１Ｃ’ｂ…稜線、１Ａｃ，１Ｂｃ，１Ｃｃ，１Ａ’ｃ，１Ｂ’ｃ，１Ｃ’ｃ…変曲点、１Ａｄ，１Ｂｄ，１Ｃｄ…第３の傾斜部、１Ａｅ，１Ｂｅ，１Ｃｅ…第１の傾斜部、１Ａｆ，１Ｂｆ，１Ｃｆ…第２の傾斜部、２…ドアミラーベース、３…リアコンビランプ、１０…車両側部構造。
【図１】
2015083459.tif 000005
【図２】
2015083459.tif 000006
【図３】
2015083459.tif 000007
【図４】
2015083459.tif 000008
【図５】
2015083459.tif 000009
【図６】
2015083459.tif 000010
【図７】
2015083459.tif 000011